【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
表示放電を行う為の少なくとも一対の電極と、放電ガスと、該放電ガスの放電で発生する紫外線による励起で可視光を発光する蛍光膜とを少なくとも備える放電セルを、対向する一対の第１の基板と第２の基板の間に複数個形成したプラズマディスプレイパネルにおいて、
表示用の可視光が出射する側の前記第１の基板の内側に、該第１の基板への外光が入射する側に配設された光吸収層と，前記蛍光膜側に配設された光反射層とが積層されてなる複数の積層部材が、前記放電セル内に分散して配設されていることを特徴とするプラズマディスプレイパネル。
【請求項２】
表示放電を行う為の少なくとも一対の電極と、放電ガスと、該放電ガスの放電で発生する紫外線による励起で可視光を発光する蛍光膜とを少なくとも備える放電セルを、対向する一対の第１の基板と第２の基板の間に複数個形成したプラズマディスプレイパネルにおいて、
表示用の可視光が出射する側の前記第１の基板の内側に、該第１の基板への外光が入射する側に配設された光吸収層と，前記蛍光膜側に配設された光反射層とが積層されてなる積層部材が形成されており、かつ前記積層部材に複数の開口が設けられていることを特徴とするプラズマディスプレイパネル。
【請求項３】
前記複数の積層部材は二次元に規則的に配列されて形成されていることを特徴とする請求項１記載のプラズマディスプレイパネル。
【請求項４】
前記開口部の第１の基板への投影面積をＳ１、該投影面積Ｓ１内に占める前記光吸収層の面積総和をＳ２としたとき、開口率（Ｓ１ーＳ２）/Ｓ１が下記不等式を満足することを特徴とする請求項１記載のプラズマディスプレイパネル。
０．１≦（Ｓ１ーＳ２）/Ｓ１≦０．８
【請求項５】
請求項２において、前記開口部は二次元に規則的に配列されていることを特徴とするプラズマディスプレイパネル。
【請求項６】
請求項２において、前記開口部は樹枝状に設けられていることを特徴とするプラズマディスプレイパネル。
【請求項７】
前記第１の基板の面内に含まれる一つの直線を含み，該第１の基板の面に垂直な断面において、前記一つの直線方向に測った放電セルの寸法をＬ、前記一つの直線方向に測った前記積層部材の寸法の最小値をＬａとしたとき、下記不等式を満足する断面が少なくとも一つ存在することを特徴とする請求項１記載のプラズマディスプレイパネル。
０＜Ｌａ/Ｌ≦０．５
【請求項８】
プラズマディスプレイパネルと、該プラズマディスプレイパネルに電圧を印加するための駆動手段とを少なくとも備えたプラズマディスプレイ装置において、
上記プラズマディスプレイパネルは、表示用可視光を出射する前面基板と複数の放電セルとを備え、
上記複数の放電セルの各々は、該放電セルに電圧を印加するための電極と、放電を形成するための放電ガスと、上記放電で可視光を発生する手段と、少なくとも光吸収層と光反射層とを積層して形成された積層部材とを少なくとも備え、
前記前面基板は、上記放電を発生させる放電空間を形成，気密化する構成手段の一部を構成しており、
ここで、上記前面基板を介して上記放電空間と反対側に存在する空間を視野空間とし、
上記放電空間と接する側の上記前面基板の表面を、上記複数の放電セルの全体に拡張して考えた面を表示面とし、
上記可視光の内で、上記表示面を通って上記視野空間に出射するものが表示用可視光として働くものとし、
上記積層部材を含む平面を考え、前記放電空間を挟んで該平面と対向する該放電空間の境界をなす面を放電空間底面としたとき、上記表示面と垂直方向の該放電空間底面と上記積層部材の前記放電空間側表面との距離の平均をＢＭ高さhdとし、
前記積層部材は、上記放電空間内，上記放電空間と上記前面基板との間，又は上記前面基板内に配設され、上記光吸収層は前記視野空間側に，上記光反射層は前記放電空間側に配設されているものとし、
上記表示面において上記積層部材の存在する領域をＢＭ領域とし、
上記表示面において上記放電空間から前記可視光が前記表示面を通って前記視野空間に射出しうる領域を透過領域とし、
上記ＢＭ領域内の任意の点Ａから上記透過領域までの最短距離の、点Ａに関する平均値を積層部材のサイズ長Laveとしたとき、
Lave/hd < 5であることを特徴とするプラズマディスプレイ装置。
【請求項９】
上記放電空間内に複数の上記積層部材が分散して配置されている、又は、上記放電空間内に配置される積層部材中に複数の開口が形成されていることを特徴とする請求項８に記載のプラズマディスプレイ装置。
【請求項１０】
上記積層部材が電気的な絶縁物で構成されることを特徴とする請求項８に記載のプラズマディスプレイ装置。
【請求項１１】
上記積層部材が電気的な導体で構成されることを特徴とする請求項８に記載のプラズマディスプレイ装置。
【請求項１２】
上記積層部材が絶縁物と電気的な導体の組み合わせで構成されることを特徴とする請求項８に記載のプラズマディスプレイ装置。
【請求項１３】
上記積層部材が上記放電セルに電圧を印加するための電極と電気的に絶縁されて配置されることを特徴とする請求項８に記載のプラズマディスプレイ装置。
【請求項１４】
上記積層部材の一部が上記放電セルに電圧を印加するための電極の一部と電気的に接続されており、上記積層部材の一部が上記放電セルに電圧を印加するための電極の少なくとも一部を構成することを特徴とする請求項８に記載のプラズマディスプレイ装置。
【請求項１５】
上記放電セルに電圧を印加するための電極が、表示放電を行なうための表示電極の少なくとも一部であり、少なくとも２種類の電極，Ｘ電極とＹ電極を構成し、上記積層部材の一部が上記Ｘ電極とＹ電極の少なくとも一部を構成することを特徴とする請求項１１に記載のプラズマディスプレイ装置。
【請求項１６】
Lave/hd < 1であることを特徴とする請求項８乃至１５の何れかに記載のプラズマディスプレイ装置。
【請求項１７】
上記可視光を発生する手段が上記紫外線による励起で可視光を発光する蛍光膜であり、前記BM高さhdが、該蛍光膜表面から上記積層部材の該蛍光膜側表面までの長さの平均値であることを特徴とする請求項８に記載のプラズマディスプレイ装置。
【請求項１８】
上記積層部材が、前記前面基板に形成された上記電極を覆う誘電体内に配設されていることを特徴とする請求項８乃至１７の何れかに記載のプラズマディスプレイ装置。
【手続補正２】
【補正対象書類名】明細書
【補正対象項目名】００１４
【補正方法】変更
【補正の内容】
【００１４】
本書において開示される発明のうち、代表的なものの概要を説明すれば、下記の通りである。
（１）  表示放電を行う為の少なくとも一対の電極と、放電ガスと、該放電ガスの放電で発生する紫外線による励起で可視光を発光する蛍光膜とを少なくとも備える放電セルを、対向する一対の第１の基板と第２の基板の間に複数個形成したプラズマディスプレイパネルにおいて、表示用の可視光が出射する側の前記第１の基板の内側に、該第１の基板への外光が入射する側に配設された光吸収層と，前記蛍光膜側に配設された光反射層とが積層されてなる複数の積層部材が、前記放電セル内に分散して配設されていることを特徴とするプラズマディスプレイパネル。
（２）  表示放電を行う為の少なくとも一対の電極と、放電ガスと、該放電ガスの放電で発生する紫外線による励起で可視光を発光する蛍光膜とを少なくとも備える放電セルを、対向する一対の第１の基板と第２の基板の間に複数個形成したプラズマディスプレイパネルにおいて、表示用の可視光が出射する側の前記第１の基板の内側に、該第１の基板への外光が入射する側に配設された光吸収層と，前記蛍光膜側に配設された光反射層とが積層されてなる積層部材が形成されており、かつ前記積層部材に複数の開口が設けられていることを特徴とするプラズマディスプレイパネル。
（３）  （１）に記載のプラズマディスプレイパネルにおいて、前記複数の積層部材は二次元に規則的に配列されて形成されていることを特徴とするプラズマディスプレイパネル。
（４）  （１）に記載のプラズマディスプレイパネルにおいて、前記開口部の第１の基板への投影面積をＳ１、該投影面積Ｓ１内に占める前記光吸収層の面積総和をＳ２としたとき、開口率（Ｓ１ーＳ２）/Ｓ１が下記不等式を満足することを特徴とするプラズマディスプレイパネル。
０．１≦（Ｓ１ーＳ２）/Ｓ１≦０．８
（５）  （２）に記載のプラズマディスプレイパネルにおいて、前記開口部は二次元に規則的に配列されていることを特徴とするプラズマディスプレイパネル。
【手続補正３】
【補正対象書類名】明細書
【補正対象項目名】００１５
【補正方法】変更
【補正の内容】
【００１５】
（６）  （２）に記載のプラズマディスプレイパネルにおいて、前記開口部は樹枝状に設けられていることを特徴とするプラズマディスプレイパネル。
（７）  （１）に記載のプラズマディスプレイパネルにおいて、前記第１の基板の面内に含まれる一つの直線を含み，該第１の基板の面に垂直な断面において、前記一つの直線方向に測った放電セルの寸法をＬ、前記一つの直線方向に測った前記積層部材の寸法の最小値をＬａとしたとき、下記不等式を満足する断面が少なくとも一つ存在することを特徴とする請求項１記載のプラズマディスプレイパネル。
０＜Ｌａ/Ｌ≦０．５
（８）  プラズマディスプレイパネルと、該プラズマディスプレイパネルに電圧を印加するための駆動手段とを少なくとも備えたプラズマディスプレイ装置において、上記プラズマディスプレイパネルは、表示用可視光を出射する前面基板と複数の放電セルとを備え、上記複数の放電セルの各々は、該放電セルに電圧を印加するための電極と、放電を形成するための放電ガスと、上記放電で可視光を発生する手段と、少なくとも光吸収層と光反射層とを積層して形成された積層部材とを少なくとも備え、前記前面基板は、上記放電を発生させる放電空間を形成，気密化する構成手段の一部を構成しており、ここで、上記前面基板を介して上記放電空間と反対側に存在する空間を視野空間とし、上記放電空間と接する側の上記前面基板の表面を、上記複数の放電セルの全体に拡張して考えた面を表示面とし、上記可視光の内で、上記表示面を通って上記視野空間に出射するものが表示用可視光として働くものとし、上記積層部材を含む平面を考え、前記放電空間を挟んで該平面と対向する該放電空間の境界をなす面を放電空間底面としたとき、上記表示面と垂直方向の該放電空間底面と上記積層部材の前記放電空間側表面との距離の平均をＢＭ高さhdとし、前記積層部材は、上記放電空間内，上記放電空間と上記前面基板との間，又は上記前面基板内に配設され、上記光吸収層は前記視野空間側に，上記光反射層は前記放電空間側に配設されているものとし、上記表示面において上記積層部材の存在する領域をＢＭ領域とし、上記表示面において上記放電空間から前記可視光が前記表示面を通って前記視野空間に射出しうる領域を透過領域とし、上記ＢＭ領域内の任意の点Ａから上記透過領域までの最短距離の、点Ａに関する平均値を積層部材のサイズ長Laveとしたとき、Lave/hd < 5であることを特徴とするプラズマディスプレイ装置。
（９）  （８）に記載のプラズマディスプレイ装置において、上記放電空間内に複数の上記積層部材が分散して配置されている、又は、上記放電空間内に配置される積層部材中に複数の開口が形成されていることを特徴とするプラズマディスプレイ装置。
【手続補正４】
【補正対象書類名】明細書
【補正対象項目名】００１６
【補正方法】変更
【補正の内容】
【００１６】
（１０）  （８）に記載のプラズマディスプレイ装置において、上記積層部材が電気的な絶縁物で構成されることを特徴とする請求項８に記載のプラズマディスプレイ装置。
（１１）  （８）に記載のプラズマディスプレイ装置において、上記積層部材が電気的な導体で構成されることを特徴とするプラズマディスプレイ装置。
（１２）  （８）に記載のプラズマディスプレイ装置において、上記積層部材が絶縁物と電気的な導体の組み合わせで構成されることを特徴とするプラズマディスプレイ装置。
（１３）  （８）に記載のプラズマディスプレイ装置において、上記積層部材が上記放電セルに電圧を印加するための電極と電気的に絶縁されて配置されることを特徴とするプラズマディスプレイ装置。
（１４）  （８）に記載のプラズマディスプレイ装置において、上記積層部材の一部が上記放電セルに電圧を印加するための電極の一部と電気的に接続されており、上記積層部材の一部が上記放電セルに電圧を印加するための電極の少なくとも一部を構成することを特徴とするプラズマディスプレイ装置。
（１５）  （１１）に記載のプラズマディスプレイ装置において、上記放電セルに電圧を印加するための電極が、表示放電を行なうための表示電極の少なくとも一部であり、少なくとも２種類の電極，Ｘ電極とＹ電極を構成し、上記積層部材の一部が上記Ｘ電極とＹ電極の少なくとも一部を構成することを特徴とするプラズマディスプレイ装置。
（１６）  （８）〜（１５）の何れかに記載のプラズマディスプレイ装置において、Lave/hd < 1であることを特徴とするプラズマディスプレイ装置。
（１７）  （８）に記載のプラズマディスプレイ装置において、上記可視光を発生する手段が上記紫外線による励起で可視光を発光する蛍光膜であり、前記BM高さhdが、該蛍光膜表面から上記積層部材の該蛍光膜側表面までの長さの平均値であることを特徴プラズマディスプレイ装置。
（１８）  （８）〜（１７）の何れかに記載のプラズマディスプレイ装置において、上記積層部材が、前記前面基板に形成された上記電極を覆う誘電体内に配設されていることを特徴とするプラズマディスプレイ装置。